(57)【要約】【課題】固定ノズルに対し差替ノズルを、容易で確実に取り付けることができる洗浄ラックを提供する。【解決手段】基材５に立設された複数の固定ノズル３と、これら各固定ノズル３に着脱可能に設けられる複数の差替ノズル４とを備える。固定ノズル３には、基材５を介して給液可能とされる。差替ノズル４は、下端部が段付き部に当接されるまで固定ノズル３の内側にはめ込まれると共に、上端部が固定ノズル３よりも上方へ延出して設けられる。各固定ノズル３には、長さの異なる差替ノズル４を付替可能とされている。【選択図】図２
2018187602.tif 000002
【特許請求の範囲】
【請求項１】
基材に立設された複数の固定ノズルと、これら各固定ノズルに着脱可能に設けられる複数の差替ノズルとを備え、
前記固定ノズルには、前記基材を介して給液可能とされ、
前記差替ノズルは、下端部が段付き部に当接されるまで前記固定ノズルの内側にはめ込まれると共に、上端部が前記固定ノズルよりも上方へ延出して設けられ、
前記固定ノズルには、長さの異なる差替ノズルを付替可能とされた
ことを特徴とする洗浄ラック。
【請求項２】
前記基材は、横向きに配置された中空パイプから構成され、その上面に前記固定ノズルの下端部が固定され、
前記基材の上壁には、前記固定ノズルの中空穴と対応した位置に、その中空穴よりも小径の貫通穴が形成され、その貫通穴の周囲が前記差替ノズルの下端部の支持面とされる
ことを特徴とする請求項１に記載の洗浄ラック。
【請求項３】
前記基材の上面には、合成樹脂製のサポート材が設けられ、
容器状の被洗浄物は、口部を下方へ向けて前記差替ノズルおよび前記固定ノズルが差し込まれた状態で、前記口部の端面が前記サポート材に当接されて支持される
ことを特徴とする請求項１または請求項２に記載の洗浄ラック。
【請求項４】
前記固定ノズルの下端部には、外周部に筒状の弾性材が設けられている
ことを特徴とする請求項１〜３のいずれか１項に記載の洗浄ラック。
【請求項５】
前記差替ノズルの上端部には、外周部に筒状の弾性材が設けられている
ことを特徴とする請求項１〜４のいずれか１項に記載の洗浄ラック。
【請求項６】
複数の前記固定ノズルは、少なくとも内径が互いに同一とされた
ことを特徴とする請求項１〜５のいずれか１項に記載の洗浄ラック。
【発明の詳細な説明】
【技術分野】
【０００１】
本発明は、被洗浄物に液体を噴射して洗浄する洗浄器に用いられ、被洗浄物がセットされて洗浄槽内に収容される洗浄ラックに関するものである。
【背景技術】
【０００２】
従来、下記各特許文献に開示されるように、フラスコやメスシリンダーなどの被洗浄物を洗浄する洗浄器が知られている。特許文献１の図７に基づき説明すると、従来の洗浄器は、籠状のラック（１００）の底部に、上方へ向けて水を噴射する噴射ノズル（１０２）を備える。噴射ノズルには、必要に応じて様々な長さの噴射パイプ（１０３）が装着され、その噴射パイプには、保持具（１０４）が設けられる。中空容器状の被洗浄物は、上下逆さにして口部を下方へ向けた状態で、噴射パイプが挿入され、口部の端部が保持具に当接して保持される。そして、噴射ノズルを介して噴射パイプから上方へ水を噴射させて、被洗浄物の内面が洗浄される。
【先行技術文献】
【特許文献】
【０００３】
【特許文献１】特開２００４−３２１８７７号公報（段落［０００２］−［０００５］、図７）
【特許文献２】特開平１０−１８０２１５号公報（段落［００２０］−［００２１］、図２、図５）
【発明の概要】
【発明が解決しようとする課題】
【０００４】
従来技術では、固定ノズル（噴射ノズル）に対し差替ノズル（噴射パイプ）を装着するが、その装着をいかに容易で確実に行うかについて課題が残る。また、従来技術では、固定ノズルの外側に差替ノズルをはめ込んでおり、固定ノズル内から差替ノズル内への流路拡大により、流速を低下させやすい。さらに、従来技術では、被洗浄物を所望高さに保持する保持具が、固定ノズルではなく差替ノズルに設けられていたので、差替ノズルの数だけ保持具を必要とするか、保持具の付替作業が必要であった。しかも、差替ノズルの中途に保持具を保持する必要があるため、その保持をいかに容易で確実に行うかについても課題がある。
【０００５】
そこで、本発明が解決しようとする課題は、固定ノズルに対し差替ノズルを、容易で確実に取り付けることができる洗浄ラックを提供することにある。その際、好ましくは、洗浄液の流速の低下を防止することを課題とする。また、被洗浄物の保持についても、部品点数が少なく容易で確実に行うことを課題とする。
【課題を解決するための手段】
【０００６】
本発明は、前記課題を解決するためになされたもので、請求項１に記載の発明は、基材に立設された複数の固定ノズルと、これら各固定ノズルに着脱可能に設けられる複数の差替ノズルとを備え、前記固定ノズルには、前記基材を介して給液可能とされ、前記差替ノズルは、下端部が段付き部に当接されるまで前記固定ノズルの内側にはめ込まれると共に、上端部が前記固定ノズルよりも上方へ延出して設けられ、前記固定ノズルには、長さの異なる差替ノズルを付替可能とされたことを特徴とする洗浄ラックである。
【０００７】
請求項１に記載の発明によれば、各固定ノズルには、被洗浄物の大きさや配置に合わせて、所望長さの差替ノズルが選択されてはめ込まれる。その際、差替ノズルは、下端部が段付き部に当接されるまで固定ノズルにはめ込まれるので、固定ノズルに対し差替ノズルを、容易で確実に取り付けることができる。また、固定ノズルの内側に差替ノズルがはめ込まれるので、固定ノズル内から差替ノズル内への流路拡大を抑制して、流速の低下を防止することができる。
【０００８】
請求項２に記載の発明は、前記基材は、横向きに配置された中空パイプから構成され、その上面に前記固定ノズルの下端部が固定され、前記基材の上壁には、前記固定ノズルの中空穴と対応した位置に、その中空穴よりも小径の貫通穴が形成され、その貫通穴の周囲が前記差替ノズルの下端部の支持面とされることを特徴とする請求項１に記載の洗浄ラックである。
【０００９】
請求項２に記載の発明によれば、差替ノズルは、固定ノズルの下端部まではめ込まれて、下端部を基材の上壁に当接して支持される。そのため、固定ノズルに対する差替ノズルの取付けを、一層容易で確実に行うことができる。
【００１０】
請求項３に記載の発明は、前記基材の上面には、合成樹脂製のサポート材が設けられ、容器状の被洗浄物は、口部を下方へ向けて前記差替ノズルおよび前記固定ノズルが差し込まれた状態で、前記口部の端面が前記サポート材に当接されて支持されることを特徴とする請求項１または請求項２に記載の洗浄ラックである。
【００１１】
請求項３に記載の発明によれば、被洗浄物は、下方へ向けた口部をサポート材に当接して支持されるので、被洗浄物の保持を容易で確実に行うことができる。しかも、合成樹脂製のサポート材により、被洗浄物の基材への直接の接触が防止され、被洗浄物の破損や洗浄時の接触音が防止される。
【００１２】
請求項４に記載の発明は、前記固定ノズルの下端部には、外周部に筒状の弾性材が設けられていることを特徴とする請求項１〜３のいずれか１項に記載の洗浄ラックである。
【００１３】
請求項４に記載の発明によれば、固定ノズルの下端部には、弾性材が設けられているので、被洗浄物の固定ノズルへの直接の接触が防止され、被洗浄物の破損や洗浄時の接触音が防止される。
【００１４】
請求項５に記載の発明は、前記差替ノズルの上端部には、外周部に筒状の弾性材が設けられていることを特徴とする請求項１〜４のいずれか１項に記載の洗浄ラックである。
【００１５】
請求項５に記載の発明によれば、差替ノズルの上端部には、弾性材が設けられているので、差替ノズルに対し被洗浄物を着脱する際、被洗浄物の差替ノズルへの直接の接触が防止され、被洗浄物の破損が防止される。
【００１６】
さらに、請求項６に記載の発明は、複数の前記固定ノズルは、少なくとも内径が互いに同一とされたことを特徴とする請求項１〜５のいずれか１項に記載の洗浄ラックである。
【００１７】
請求項６に記載の発明によれば、各固定ノズルは、少なくとも内径が互いに同一であるから、差替ノズルをいずれの固定ノズルにも取り付けることができる。
【発明の効果】
【００１８】
本発明の洗浄ラックによれば、固定ノズルに対し差替ノズルを、容易で確実に取り付けることができる。その際、洗浄液の流速の低下を防止することもできる。また、被洗浄物の保持についても、部品点数が少なく容易で確実に行うことができる。
【図面の簡単な説明】
【００１９】
【図１】本発明の一実施例の洗浄ラックの概略平面図であり、一部を切り欠いて示している。
【図２】図１の洗浄ラックの概略正面図である。
【図３】図１の洗浄ラックの概略分解斜視図である。
【図４】図１の洗浄ラックの使用状態を示す概略縦断面図である。
【発明を実施するための形態】
【００２０】
以下、本発明の具体的実施例を図面に基づいて詳細に説明する。
図１〜図４は、本発明の一実施例の洗浄ラック１の概略図であり、一部を切り欠いて示しており、図１は平面図、図２は正面図、図３は分解斜視図、図４は使用状態の縦断面図である。
【００２１】
本実施例の洗浄ラック１は、被洗浄物２に液体を噴射して洗浄する洗浄器に用いられる。そこで、まずは洗浄器について概略を説明した後、本実施例の洗浄ラック１について具体的に説明する。
【００２２】
洗浄器は、図示しないが、被洗浄物２が収容される洗浄槽と、この洗浄槽内に設けられる洗浄ノズルと、洗浄槽内の下部に連接された液貯留部と、液貯留部への給水手段と、液貯留部からの排水手段と、液貯留部への薬液供給手段と、液貯留部の液体を洗浄ノズルへ供給するポンプと、液貯留部の貯留液を加熱する加熱手段と、これら各手段を制御する制御手段とを主要部として備える。
【００２３】
洗浄槽は、略矩形の中空箱状とされ、正面がドアにより開閉可能とされる。洗浄槽には、洗浄ラック１を介して、被洗浄物２が収容される。すなわち、被洗浄物２は、洗浄ラック１にセットされた状態で、洗浄ラック１ごと洗浄槽に出し入れされる。この出し入れを容易に行うために、洗浄ラック１の下部には、車輪（図示省略）を設けておくのが好ましい。
【００２４】
詳細は後述するが、洗浄ラック１に設けられるノズル（固定ノズル３，差替ノズル４）が、前記洗浄ノズルとして機能する。但し、本実施例では、洗浄槽内の上部と下部には、洗浄槽自体に洗浄ノズルが水平方向へ回転可能に設けられており、その上下の洗浄ノズル間に洗浄ラック１が収容される。前記ポンプの作動中、上部の洗浄ノズルは、回転しながら下方へ液体を噴射し、下部の洗浄ノズルは、回転しながら上方へ液体を噴射する。また、洗浄ラック１のノズル３，４は、被洗浄物２内において液体を噴射する。これにより、洗浄槽内において、主として、上下の洗浄ノズルにより、被洗浄物２の外面が洗浄され、洗浄ラック１のノズルにより、被洗浄物２の内面が洗浄される。
【００２５】
なお、洗浄には、洗剤等を投入しない常温水による予備洗浄、所望により洗剤を投入した温水による本洗浄、所望により濯ぎ剤を投入した温水による濯ぎ洗浄などの内、いずれか一以上の動作が含まれる。たとえば、水を入れ替えつつ、予備洗浄、複数回の本洗浄、複数回の濯ぎ洗浄が順次に実行される。
【００２６】
被洗浄物２は、典型的には、上方へ開口した有底の中空容器である。特に、フラスコやメスシリンダーのような細口の容器が、本実施例の洗浄ラック１による洗浄に適する。図面では、被洗浄物２としてフラスコを例に示しているが、フラスコの形状や大きさは変更可能であると共に、フラスコ以外の容器にも同様に適用可能である。いずれにしても、被洗浄物２は、上下逆さにして、口部２ａを下方へ向けた状態で洗浄ラック１にセットされる。以下、本実施例の洗浄ラック１の具体的構成について説明する。
【００２７】
図１に示すように、洗浄ラック１の底部には、基材５とサポート材６とが格子状に組み立てられている。具体的には、まず、図１において、左右両端部には、前後方向へ延出してフレーム材７が設けられており、この左右のフレーム材７を架け渡すように、複数本の基材５が前後に離隔して平行に設けられている。基材５およびフレーム材７は、本実施例では金属（たとえばステンレス）から形成される。
【００２８】
各基材５は、同一の形状および大きさとされ、本実施例では断面矩形の中空パイプから構成される。そして、各基材５は、左右方向へ沿って水平に配置され、左右両端部の開口部がフレーム材７にて閉塞される。なお、洗浄槽内の底面に対し洗浄ラック１を走行可能に、左右のフレーム材７の前後には、それぞれ車輪（図示省略）を設けるのが好ましい。
【００２９】
各基材５には、設定間隔で、固定ノズル３が立設される。各固定ノズル３は、本実施例では金属（たとえばステンレス）から形成される。また、各固定ノズル３は、少なくとも内径（内寸）が互いに同一とされるのがよい。典型的には、各固定ノズル３は、同一の形状および大きさとされ、本実施例では断面円形の中空パイプから構成される。そして、各固定ノズル３は、上下方向へ沿って配置され、下端部が基材５の上面（上壁５ａの上面）に固定される。基材５の上壁５ａには、固定ノズル３の中空穴３ａと対応した位置に、その中空穴３ａと同心で且つ中空穴３ａよりも小径の貫通穴５ｂが形成されている（図４）。従って、貫通穴５ｂの内周部と中空穴３ａの内周部との間には、円環状に上壁５ａが残され、後述する差替ノズル４の下端面に当接する支持面とされる。なお、貫通穴５ｂの直径は、差替ノズル４の中空穴４ａの内径と同一とするのが好ましい。
【００３０】
各固定ノズル３には、基材５を介して、下方から給水可能とされる。この給水は、文字通りの水の他、洗剤を投入した洗浄水、あるいは濯ぎ剤を投入した濯ぎ水であってもよい。各固定ノズル３に給水するために、基材５の中空穴５ｃには、適宜の箇所から給水可能とされる。
【００３１】
本実施例では、図１および図２に示すように、洗浄ラック１の底部には、左右方向中央部に前後方向へ沿って配水材８が設けられており、この配水材８を介して各基材５に水が送られる。配水材８は、本実施例では断面矩形の金属製の中空パイプから構成され、その上面に各基材５の左右方向中央部が載せられて固定される。配水材８と各基材５とには、重ね合わせ部に連通穴が形成されており、配水材８内と各基材５内とが連通される。そして、図示例では、配水材８の前後方向中央部には、上方へ延出して給水パイプ９が固定されており、この給水パイプ９の上部から洗浄ラック１へ給水可能とされる。洗浄槽内の所定位置に洗浄ラック１を格納すると、前記ポンプからの吐出配管が給水パイプ９の上端部と接続される関係になる。そのため、ポンプを作動させると、液貯留部からの水が給水パイプ９、配水材８および各基材５を介して、各固定ノズル３へ送られ、固定ノズル３の上方へ噴射可能とされる。そして、その噴射された水は、被洗浄物２を洗浄した後、洗浄槽下部の液貯留部へ戻される。
【００３２】
図１において、前後に間隔をあけて配置された複数の基材５上には、左右に間隔をあけて複数のサポート材６が設けられる。各サポート材６は、本実施例では合成樹脂（たとえばポリアセタールのようなエンジニアリングプラスチック）から形成される。各サポート材６は、同一の形状および大きさとされ、それぞれ前後方向へ沿って配置される。各サポート材６の断面は、図３および図４に示すように、上方へ開口した略コ字形状に形成される。具体的には、各サポート材６の断面は、水平に配置される中央片６ａの幅方向両端部に上方への突出片６ｂが一体形成された形状とされる。そして、中央片６ａには、適宜長手方向へ沿って長穴６ｃが形成されており、この長穴６ｃに固定ノズル３が通されつつ、中央片６ａの下面が基材５の上面に重ね合わされて固定される。この長穴６ｃは、被洗浄物２の洗浄中、水抜き穴として機能する。
【００３３】
各固定ノズル３には、差替ノズル４が着脱可能に設けられる。各差替ノズル４は、本実施例では金属（たとえばステンレス）から形成される。また、各差替ノズル４は、本実施例では断面円形のパイプから構成され、その外径は固定ノズル３の内径に適合している。そのため、固定ノズル３の中空穴３ａに差替ノズル４を上方からはめ込むことができる。差替ノズル４の下端部は、本実施例では、固定ノズル３の下端部において、基材５の上面（貫通穴５ｂの周囲の上壁５ａ）に当接されて支持される。但し、場合により、固定ノズル３の中途に段付き部を設けて、その段付き面に当接するまで、固定ノズル３に差替ノズル４をはめ込んでもよい。いずれにしても、差替ノズル４の下端部が段付き部（基材５上面または固定ノズル３中途の段付き部）に当接するまで、固定ノズル３に差替ノズル４をはめ込んだ状態で、差替ノズル４は固定ノズル３の上端部よりも上方へ延出する長さとされる。
【００３４】
各差替ノズル４の上端部には、外周部に筒状の弾性材（たとえばシリコーンチューブ）１０が設けられるのが好ましい。この弾性材１０は、差替ノズル４の上端部の外周部のみを覆うように設けられてもよい（つまり弾性材１０の上端面が差替ノズル４の上端面と面一でもよい）し、図４に示すように、差替ノズル４の上端面も覆うように設けられてもよい。いずれにしても、弾性材１０には、基材５からの水を上方へ噴射可能に、貫通穴が形成されている。なお、弾性材１０の形状や弾性材１０に設ける貫通穴を調整することで、差替ノズル４の上端部から噴射する水の向きなどを調整してもよい。
【００３５】
同様に、各固定ノズル３の下端部には、外周部に筒状の弾性材（たとえばシリコーンチューブ）１１が設けられるのが好ましい。この弾性材１１は、サポート材６の左右の突出片６ｂの上端部よりも上方へ延出して設けられる。
【００３６】
各固定ノズル３に設けるための差替ノズル４として、長さの異なる複数種の差替ノズル４が用意されている。そして、各固定ノズル３には、被洗浄物２の大きさや配置に合わせて、所望長さの差替ノズル４が選択されてはめ込まれる。
【００３７】
具体的には、図１および図２に示すように、各固定ノズル３には、被洗浄物２の形状や大きさにより、長さの異なる差替ノズル４が用いられる。つまり、被洗浄物２の大きさに合わせて、差替ノズル４の長さ（言い換えれば固定ノズル３から上方への突出量）を変えたり、差替ノズル４を設ける固定ノズル３の位置を調整したりする。固定ノズル３に対する差替ノズル４の脱着は、固定ノズル３の中空穴３ａに差替ノズル４を抜き差しするだけであり、ねじ込み作業などは不要である。これにより、差替ノズル４の長さや配置を容易に変更することができる。
【００３８】
被洗浄物２は、上下逆さにして口部２ａを下方へ向けて、口部２ａから差替ノズル４ひいては固定ノズル３が差し込まれる。その際、差替ノズル４の上端部には、弾性材１０が設けられているので、差替ノズル４に対し被洗浄物２を着脱する際、被洗浄物２の差替ノズル４への直接の接触が防止され、被洗浄物２の破損が防止される。特に、被洗浄物２がガラス製であっても、金属製の差替ノズル４への直接の接触が防止され、被洗浄物２の破損が防止される。
【００３９】
そして、被洗浄物２は、下方へ向けて配置された口部２ａの端面が、サポート材６の左右の突出片６ｂの上部に当接して保持される。サポート材６は、合成樹脂から形成されているので、被洗浄物２の基材５への直接の接触が防止され、被洗浄物２の破損や洗浄時の接触音（差替ノズル４からの噴射で被洗浄物２がぐらついた場合の接触音）が防止される。特に、被洗浄物２がガラス製であっても、金属製の基材５への直接の接触が防止され、被洗浄物２の破損や洗浄時の接触音が防止される。
【００４０】
さらに、固定ノズル３の下端部には、弾性材１１が設けられているので、被洗浄物２の固定ノズル３への直接の接触が防止され、被洗浄物２の破損や洗浄時の接触音（差替ノズル４からの噴射で被洗浄物２がぐらついた場合の接触音）が防止される。特に、被洗浄物２がガラス製であっても、金属製の固定ノズル３への直接の接触が防止され、被洗浄物２の破損や洗浄時の接触音が防止される。
【００４１】
このように、サポート材６および各弾性材１０，１１を設けておくことで、洗浄ラック１への被洗浄物２の着脱時、洗浄ラック１の搬送時、および洗浄槽内の洗浄時における被洗浄物２の破損や接触音が防止される。
【００４２】
本実施例の洗浄ラック１によれば、各固定ノズル３に所望長さの差替ノズル４をはめ込んで、所望の位置に所望の被洗浄物２をセットすることができる。なお、各ノズル３，４に被洗浄物２を被せて、被洗浄物２の口部２ａをサポート材６に当接した状態では、差替ノズル４の上端部は被洗浄物２の内部空間の上端部よりも下方に配置される。そして、被洗浄物２がセットされた洗浄ラック１を洗浄槽内の所定位置に収容して、洗浄槽のドアを閉め、運転開始を指示すると、洗浄槽内下部に貯留された水が、ポンプの作動により給水パイプ９から配水材８および各基材５を介して、各固定ノズル３へ供給され、各差替ノズル４の上端部から噴射される。差替ノズル４の上端部から噴射された水は、被洗浄物２の内面に当たって洗浄し、被洗浄物２の口部２ａから下方へ排水される。サポート材６には水抜き用の長穴６ｃが形成され、また基材５とサポート材６とは格子状に配置されるので、各長穴６ｃや各格子穴から水は下方へ脱落し、再びポンプにより循環される。なお、被洗浄物２の外面は、前述したとおり、洗浄槽内の上下に設けた洗浄ノズルからの噴射水により洗浄される。また、被洗浄物２がセットされないノズル３，４からの噴射水によっても洗浄される。
【００４３】
図１および図２に示されるように、洗浄ラック１に被洗浄物２をセットする際、必ずしもすべての固定ノズル３が使用される訳ではない。使用されない固定ノズル３には、最も短い差替ノズル４を設けておくのがよい。各差替ノズル４の上端部には弾性材１０が設けられているので、差替ノズル４を設けずに固定ノズル３のままとする場合よりも、被洗浄物２の破損や洗浄時の接触音を防止することができる。なお、被洗浄物２が設けられない固定ノズル３は、所望により、適宜の手段で、上部開口を閉じるように構成してもよい。
【００４４】
本発明の洗浄ラック１は、前記実施例の構成に限らず適宜変更可能である。特に、基材５に立設された複数の固定ノズル３と、これら各固定ノズル３に着脱可能に設けられる複数の差替ノズル４とを備え、固定ノズル３には基材５を介して給液可能とされ、差替ノズル４は、下端部が段付き部に当接されるまで固定ノズル３の内側にはめ込まれると共に、上端部が固定ノズル３よりも上方へ延出して設けられ、固定ノズル３には、長さの異なる差替ノズル４を付替可能とされるのであれば、その他の構成は、適宜に変更可能である。
【００４５】
たとえば、前記実施例では、差替ノズル４からは水（前述したとおり文字通りの水の他、洗剤または濯ぎ剤が混入されていてもよい）を噴射する例を示したが、水に限らず、その他の洗浄液を用いてもよい。
【００４６】
前記実施例では、被洗浄物２は、洗浄ラック１にセットされた状態で、洗浄ラック１ごと洗浄槽に出し入れしたが、場合により、洗浄槽内に洗浄ラック１をセットしておき、その洗浄ラック１に対し被洗浄物２を着脱してもよい。
【００４７】
また、前記実施例において、基材５の上部に設けられるサポート材６、差替ノズル４の上端部に設けられる弾性材１０、および固定ノズル３の下端部に設けられる弾性材１１の内、いずれか一以上は、所望により設置を省略可能である。
【００４８】
さらに、前記実施例では、固定ノズル３および差替ノズル４は、丸パイプから構成されたが、場合により、角パイプから構成されてもよい。逆に、前記実施例では、基材５および配水材８は、角パイプから構成されたが、場合により、丸パイプから構成されてもよい。
【００４９】
その他、前記実施例では、差替ノズル４は直管状に形成されたが、場合により、湾曲させるなどしてもよい。すなわち、差替ノズル４の上方（固定ノズル３からの延出部）を、所望により適宜の形状に湾曲させてもよい。
【符号の説明】
【００５０】
１  洗浄ラック
２  被洗浄物（２ａ：口部）
３  固定ノズル（３ａ：中空穴）
４  差替ノズル（４ａ：中空穴）
５  基材（中空パイプ）（５ａ：上壁、５ｂ：貫通穴、５ｃ：中空穴）
６  サポート材（６ａ：中央片、６ｂ：突出片、６ｃ：長穴）
７  フレーム材
８  配水材
９  給水パイプ
１０  （差替パイプ側の）弾性材
１１  （固定パイプ側の）弾性材
【図１】
2018187602.tif 000003
【図２】
2018187602.tif 000004
【図３】
2018187602.tif 000005
【図４】
2018187602.tif 000006